(57)【要約】【課題】障子を軽く開閉でき、かつ、シール部材の磨耗を防止でき、かつ、隙間を確実にシールできるスライド式建具を提供する。【解決手段】障子３０の上溝４２に上部シール部材８２を設け、その上溝４２に嵌められる上レール４０に上部シール受け部８４を設ける。障子３０の下溝４６に下部シール部材９２を設け、その下溝４６に嵌められる下レール４４に下部シール受け部９４を設ける。上部シール部材８２及び下部シール部材９２は、障子３０の移動方向と交差する方向に突出させて設ける。障子３０は閉じられると、全体が上方に変位する構成とし、障子３０が上方に変位すると、上部シール部材８２及び下部シール部材９２が、上部シール受け部８４及び下部シール受け部９４に接触する構成とする。【選択図】図４
2015151722.tif 000002
【特許請求の範囲】
【請求項１】
水平に配置される横枠材と、
前記横枠材に対して左右方向にスライドして開閉され、かつ、開閉に連動して上下方向に変位して、高さの異なる第１位置と第２位置との間を移動する障子と、
前記障子と前記横枠材のいずれか一方に備えられ、前記障子の移動方向と交差する方向に突出して設けられるシール部材と、
前記障子と前記横枠材のいずれか他方に備えられ、前記障子が前記第１位置に位置すると、前記シール部材と離間し、前記障子が前記第２位置に位置すると、前記シール部材に接触するシール受け部と、
を備えるスライド式建具。
【請求項２】
前記障子は、閉位置の近傍において上下方向に変位する、請求項１に記載のスライド式建具。
【請求項３】
前記障子に前記シール部材が備えられ、前記横枠材に前記シール受け部が備えられる、請求項１又は２に記載のスライド式建具。
【請求項４】
前記横枠材に前記シール部材が備えられ、前記障子に前記シール受け部が備えられる、請求項１又は２に記載のスライド式建具。
【請求項５】
前記横枠材は、前記障子のスライド方向に沿って前記障子が嵌入される枠側凹条部を備え、
前記枠側凹条部の内壁面と前記障子との隙間が、前記シール部材と前記シール受け部とによってシールされる、請求項１から４のいずれか１項に記載のスライド式建具。
【請求項６】
前記横枠材は、前記障子のスライド方向に沿って枠側凸条部を備え、
前記障子は、前記障子のスライド方向に沿って前記枠側凸条部が嵌入される障子側凹条部を備え、
前記障子側凹条部の内壁面と前記枠側凸条部の外壁面との間の隙間が、前記シール部材と前記シール受け部とによってシールされる、請求項１から４のいずれか１項に記載のスライド式建具。
【請求項７】
前記障子は戸車を備え、
前記枠側凸条部が、前記戸車のレールとして機能する、請求項６に記載のスライド式建具。
【発明の詳細な説明】
【技術分野】
【０００１】
本発明はスライド式建具に関する。
【背景技術】
【０００２】
障子が枠内を左右方向にスライドして開閉されるスライド式建具は、気密性を向上させるために、上枠材と障子との間、及び、下枠材と障子との間にシール部材が取り付けられる。
【０００３】
しかし、上枠材と障子との間、及び、下枠材と障子との間にシール部材を取り付けると、障子を開閉するたびにシール部材が擦られて開閉操作が重くなり、かつ、シール部材が早期に磨耗するという欠点がある。
【０００４】
特許文献１には、このようなシール部材の磨耗を防止するため、障子を閉じると、障子全体が一定量下降するように構成し、障子を閉じたときにのみ、障子の下面に取り付けられたシール部材が下枠材に接触するように構成したスライド式建具が記載されている。
【先行技術文献】
【特許文献】
【０００５】
【特許文献１】実開昭６３−１０４５９４号公報
【発明の概要】
【発明が解決しようとする課題】
【０００６】
しかしながら、特許文献１の構成では、枠に対して障子が適正に納まるように、障子の高さを調整すると、シール部材と下枠材との間隔が変わり、シール部材が下枠材に接触しなくなるおそれがある。このような問題は、枠及び障子の建て付けの狂いや、経年変化による枠及び障子の狂いによっても生じる。
【０００７】
また、特許文献１の構成では、障子と上枠材との間に生じる隙間をシールできないという欠点もある。
【０００８】
本発明は、このような事情に鑑みてなされたもので、障子を軽く開閉でき、かつ、シール部材の磨耗を防止でき、かつ、隙間を確実にシールできるスライド式建具を提供することを目的とする。
【課題を解決するための手段】
【０００９】
課題を解決するための手段は、次のとおりである。
【００１０】
第１の態様は、水平に配置される横枠材と、前記横枠材に対して左右方向にスライドして開閉され、かつ、開閉に連動して上下方向に変位して、高さの異なる第１位置と第２位置との間を移動する障子と、前記障子と前記横枠材のいずれか一方に備えられ、前記障子の移動方向と交差する方向に突出して設けられるシール部材と、前記障子と前記横枠材のいずれか他方に備えられ、前記障子が前記第１位置に位置すると、前記シール部材と離間し、前記障子が前記第２位置に位置すると、前記シール部材に接触するシール受け部と、を備えるスライド式建具である。
【００１１】
本態様によれば、障子の上下方向への変位に連動して、シール部材がシール受け部に接触／離間する。シール部材は、障子の移動方向と交差する方向に突出して設けられているので、障子の高さを調整した場合であっても、シール受け部に接触させることができる。これにより、隙間を確実にシールできる。また、上下いずれの隙間もシールできる。更に、障子の開閉に伴うシール部材の擦れを低減できるので、障子を軽く開閉でき、かつ、シール部材の磨耗も防止できる。
【００１２】
第２の態様は、第１の態様のスライド式建具において、障子は、閉位置の近傍において上下方向に変位する態様である。
【００１３】
本態様によれば、障子は、閉位置の近傍において上下方向に変位する。これにより、障子のスライドに伴うシール部材の擦れを防止でき、シール部材の磨耗を更に防止できる。
【００１４】
第３の態様は、第１又は２の態様のスライド式建具において、障子にシール部材が備えられ、横枠材にシール受け部が備えられる態様である。
【００１５】
本態様によれば、障子にシール部材が備えられ、横枠材にシール受け部が備えられる。これにより、シール部材を交換する際、容易に交換できる。
【００１６】
第４の態様は、第１又は２の態様のスライド式建具において、横枠材にシール部材が備えられ、障子にシール受け部が備えられる態様である。
【００１７】
本態様によれば、横枠材にシール部材が備えられ、障子にシール受け部が備えられる。これにより、横枠材の長さ方向に継ぎ目なくシール部材を備えることができる。
【００１８】
第５の態様は、第１から４のいずれか１の態様のスライド式建具において、横枠材は、障子のスライド方向に沿って障子が嵌入される枠側凹条部を備え、枠側凹条部の内壁面と障子との隙間が、シール部材とシール受け部とによってシールされる態様である。
【００１９】
本態様によれば、横枠材に枠側凹条部が備えられ、その枠側凹条部の内壁面と障子との隙間が、シール部材とシール受け部とによってシールされる。
【００２０】
第６の態様は、第１から４のいずれか１の態様のスライド式建具において、横枠材は、障子のスライド方向に沿って枠側凸条部を備え、障子は、障子のスライド方向に沿って枠側凸条部が嵌入される障子側凹条部を備え、障子側凹条部の内壁面と枠側凸条部の外壁面との間の隙間が、シール部材とシール受け部とによってシールされる態様である。
【００２１】
本態様によれば、横枠材に枠側凸条部、障子に障子側凹条部が備えられ、枠側凸条部の外壁面と障子側凹条部の内壁面との間の隙間が、シール部材とシール受け部とによってシールされる。
【００２２】
第７の態様は、第６の態様のスライド式建具において、障子は戸車を備え、枠側凸条部が、戸車のレールとして機能する態様である。
【００２３】
本態様によれば、枠側凸条部が戸車のレールとして機能する。これにより、構成を簡素化できる。
【発明の効果】
【００２４】
本発明によれば、障子を軽く開閉でき、かつ、シール部材の磨耗を防止でき、かつ、隙間を確実にシールできる。
【図面の簡単な説明】
【００２５】
【図１】本発明に係るスライド式建具の第１の実施形態を示す正面図
【図２】図１に示したスライド式建具の側面断面図（図１の２−２断面図）
【図３】図１に示したスライド式建具の正面断面図（図２の３−３断面図）
【図４】第１の実施の形態のスライド式建具のシール構造の側面断面図
【図５】第１の実施の形態のスライド式建具のシール構造の第１の変形例を示す側面断面図
【図６】第１の実施の形態のスライド式建具のシール構造の第２の変形例を示す側面断面図
【図７】第１の実施の形態のスライド式建具のシール構造の第３の変形例を示す側面断面図
【図８】本発明に係るスライド式建具の第２の実施形態の正面断面図
【図９】図８に示したスライド式建具の側面断面図（図８の９−９断面図）
【図１０】第２の実施の形態のスライド式建具のシール構造の側面断面図
【図１１】第２の実施の形態のスライド式建具のシール構造の変形例を示す側面断面図
【図１２】本発明に係るスライド式建具の第３の実施形態の正面断面図
【図１３】第３の実施の形態のスライド式建具のシール構造の側面断面図
【図１４】第３の実施の形態のスライド式建具のシール構造の第１の変形例を示す側面断面図
【図１５】第３の実施の形態のスライド式建具のシール構造の第２の変形例を示す側面断面図
【図１６】本発明に係るスライド式建具の第４の実施形態のシール構造の側面断面図
【図１７】第４の実施の形態のスライド式建具のシール構造の変形例を示す側面断面図
【図１８】シール受け部の他の実施の形態を示す側面断面図
【発明を実施するための形態】
【００２６】
以下、添付図面に従って本発明を実施するための好ましい形態について詳説する。
【００２７】
《第１の実施の形態》
〈全体構成〉
図１は、本発明に係るスライド式建具の第１の実施形態を示す正面図である。また、図２は、図１に示したスライド式建具の側面断面図（図１の２−２断面図）であり、図３は、図１に示したスライド式建具の正面断面図（図２の３−３断面図）である。なお、図３では、便宜上、一方の障子の記載を省略している。
【００２８】
このスライド式建具１０は、建物の開口部に設置される窓用の建具であり、矩形状の枠２０と、枠２０に引き違い状に納められる一対の矩形状の障子（内障子及び外障子）３０と、を備えて構成される。
【００２９】
枠２０は、水平に配置される上下一対の横枠材としての上枠材２０Ａ及び下枠材２０Ｃと、垂直に配置される左右一対の縦枠材としての右枠材２０Ｂ及び左枠材２０Ｄと、を備えて構成される。
【００３０】
障子３０は、矩形状のガラス板３２と、ガラス板３２を保持する矩形状の框３４と、を備えて構成される。
【００３１】
框３４は、上框３４Ａと、右框３４Ｂと、下框３４Ｃと、左框３４Ｄと、を備えて構成される。
【００３２】
框３４の内周面には、全周にわたってガラス保持溝３６が備えられる。ガラス板３２は、このガラス保持溝３６に周縁部が嵌められて、框３４に保持される。
【００３３】
上枠材２０Ａには、障子３０の開閉をガイドする凸条の上レール４０（枠側凸条部）が備えられる。上レール４０は、障子３０ごとに備えられ、上枠材２０Ａの長手方向（障子３０のスライド方向）に沿って配置される。上レール４０は、上枠材２０Ａと一体的に成形してもよいし、また、別部材として構成し、上枠材２０Ａに組み付ける構成としてもよい。
【００３４】
障子３０の上面（上框３４Ａの上面）には、上レール４０が嵌入される凹条の上溝４２（障子側凹条部）が備えられる。上溝４２は、障子３０の上辺に沿って配置される。
【００３５】
下枠材２０Ｃには、障子３０のスライドをガイドする凸条の下レール４４（枠側凸条部）が備えられる。下レール４４は、障子３０ごとに備えられ、下枠材２０Ｃの長手方向（障子３０のスライド方向）に沿って配置される。下レール４４には、その軌道上に一対の凸部４４Ｍが備えられる。この凸部４４Ｍを有することにより、障子３０が開閉に連動して、上下方向に変位する。この点については、後述する。下レール４４も同様に、下枠材２０Ｃと一体的に成形してもよいし、また、別部材として構成し、下枠材２０Ｃに組み付ける構成としてもよい。
【００３６】
障子３０の下面（下框３４Ｃの下面）には、下レール４４が嵌入される凹条の下溝４６（障子側凹条部）が備えられる。下溝４６は、障子３０の下辺に沿って配置される。
【００３７】
障子３０には、下溝４６の内部に一対の戸車５０が備えられる。戸車５０は、外箱５２に納められて回転自在に支持され、かつ、図示しない高さ調整機構によって、上下方向に高さ調整可能に支持される。戸車５０は、障子３０の開閉方向の両端に備えられ、その外周面には下レール４４の先端部が嵌合される外周溝５０Ａが備えられる（図４参照）。
【００３８】
障子３０を枠２０に納める際は、障子３０の上溝４２に上レール４０を嵌入させ、かつ、下溝４６に下レール４４を嵌入させる。この際、戸車５０の外周溝５０Ａに下レール４４の先端が嵌合するように、下レール４４を障子３０の下溝４６に嵌入させる。これにより、障子３０が枠２０に納められ、かつ、戸車５０を介して、障子３０が左右方向にスライド自在に支持される。
【００３９】
〈障子の上下動の機構〉
図３に示すように、下レール４４には、その軌道上に一対の凸部４４Ｍが備えられる。凸部４４Ｍは、障子３０を閉位置（障子３０が完全に閉じる位置）に位置させた時の戸車５０の位置に対応して設けられる。すなわち、障子３０を閉位置に位置させると、戸車５０が凸部４４Ｍの上に乗り上がるように設けられる。これにより、障子３０を閉じると、障子３０の全体が上方向（図３の矢印Ａ方向）に変位し、障子３０を開けると、障子３０の全体が下方向（図３の矢印Ｃ方向）に変位する。
【００４０】
戸車５０が凸部４４Ｍに乗り上げていない時の障子３０の上下方向の位置を第１位置とし、戸車５０が凸部４４Ｍに乗り上げている時の障子３０の上下方向の位置を第２位置とすると、障子３０は、開閉動作に連動して、第１位置と第２位置との間を上下方向に変位する。
【００４１】
障子３０が上下方向に変位するタイミングは、凸部４４Ｍの一方側の端部（障子３０を開く方向（図３の矢印Ｄ方向）の端部）４４ｍによって決定される。したがって、この凸部４４Ｍの端部４４ｍの位置を調整することにより、障子３０を上下方向に変位させるタイミングを調整できる。そして、この障子３０を上下方向に変位させるタイミングは、障子３０が完全に閉じる位置の直前に設定される。すなわち、閉位置の近傍において上下方向に変位するように設定される。
【００４２】
なお、この凸部４４Ｍは、少なくとも開側（図３の矢印Ｄ側）の端部４４ｍがスロープで構成される。このように、端部４４ｍの形状をスロープ形状とすることにより、凸部４４Ｍに対する戸車５０の乗り降りをスムーズにでき、障子３０の開閉をスムーズにできる。
【００４３】
〈シール構造〉
上枠材２０Ａ及び下枠材２０Ｃと障子３０との間に生じる隙間は、次のシール構造によってシールされる。
【００４４】
図４は、第１の実施の形態のスライド式建具のシール構造の側面断面図である。なお、同図（Ａ）は、障子を開いたときの側面断面図であり、同図（Ｂ）は、障子を閉じたときの側面断面図である。
【００４５】
障子３０は、枠２０の上枠材２０Ａとの間に生じる隙間を上部シール構造８０によってシールされ、下枠材２０Ｃとの間に生じる隙間を下部シール構造９０によってシールされる。
【００４６】
〔上部シール構造〕
上部シール構造８０は、障子３０に設けられる上部シール部材８２と、枠２０に設けられる上部シール受け部８４と、を備えて構成される。上部シール構造８０は、上レール４０の外壁面４０Ａと、上溝４２の内壁面４２Ａとの間に生じる隙間８６をシールする。すなわち、障子３０は、枠２０に納めると、その上面に備えられた上溝４２の両側の内壁面４２Ａと上レール４０の両側の外壁面４０Ａとが互いに対向して配置されて、その間に所定の隙間８６が生じるので、この隙間８６を上部シール構造８０でシールする。
【００４７】
上部シール部材８２は、薄板形状（ヒレ形状）を有する弾性体（たとえば、ゴム）で構成され、上溝４２の内壁面４２Ａから突出して配置される。この上部シール部材８２は、障子３０を枠２０に納めた際、障子３０の移動方向と平行な面である障子３０の主面３０Ａに直交（交差）するように配置される（＝上レール４０の外壁面４０Ａに交差するように配置される）。また、その先端が上レール４０の外壁面４０Ａに接触しないように、上レール４０の外壁面４０Ａから離間させて配置される。なお、障子３０の主面３０Ａとは、ガラス板３２の小口面を除く面である。
【００４８】
上部シール受け部８４は、上部シール部材８２を受ける部材（接触する部材）として構成され、上レール４０の外壁面４０Ａから突出して設けられる。この上部シール受け部８４は、上下方向に一定の幅を有する断面矩形状の凸条の突出部として上レール４０の長手方向（障子３０のスライド方向）に沿って配置され、先端に上部シール部材８２が接触する上部シール受け面８４Ａが備えられる。上部シール受け面８４Ａは、上レール４０の外壁面４０Ａと平行に設けられ、障子３０を枠２０に納めた際、所定の隙間をもって上溝４２の内壁面４２Ａと対向するように配置される。
【００４９】
上部シール部材８２と上部シール受け部８４とは、障子３０を枠２０に納めた際、ともに隙間８６内に配置され、かつ、互いにオーバーラップするように配置される。そして、その設置位置は、次のように設定される。
【００５０】
すなわち、上部シール部材８２は、障子３０に連動して上下方向に変位するので、障子３０を閉めた際、上部シール受け部８４の上部シール受け面８４Ａに接触し、障子３０を開けた際、上部シール受け部８４から離間するように設定される。換言すると、図４（Ｂ）に示すように、障子３０が第２位置に位置すると、上部シール部材８２が上部シール受け部８４の上部シール受け面８４Ａに接触し、障子３０が第１位置に位置すると、上部シール部材８２が上部シール受け部８４から離間するように、上部シール部材８２と上部シール受け部８４との上下方向の位置関係が設定される。
【００５１】
本実施の形態の障子３０は、閉じると、上方向に変位するので、上部シール部材８２は、上部シール受け部８４の下側に配置される。
【００５２】
〔下部シール構造〕
下部シール構造９０は、障子３０に設けられる下部シール部材９２と、枠２０に設けられる下部シール受け部９４と、を備えて構成される。この下部シール構造９０は、下レール４４の外壁面４４Ａと、下溝４６の内壁面４６Ａとの間に生じる隙間９６をシールする。
【００５３】
下部シール構造９０の構成は、上部シール構造８０とほぼ同じなので、その具体的な説明は省略する。
【００５４】
下部シール構造９０は、障子３０を閉めた際、下部シール部材９２が下部シール受け部９４の下部シール受け面９４Ａに接触し、障子３０を開けた際、下部シール部材９２が下部シール受け部９４から離間するように、下部シール部材９２と下部シール受け部９４との上下方向の位置関係が設定される。
【００５５】
〈作用〉
以上のように構成される本実施の形態のスライド式建具１０の作用は、次のとおりである。
【００５６】
障子３０は、下レール４４に備えられた凸部４４Ｍの作用によって、開閉に連動して上下方向に変位する。この障子３０の上下動により、上部シール部材８２が上部シール受け部８４に接触／離間し、かつ、下部シール部材９２が下部シール受け部９４に接触／離間する。
【００５７】
すなわち、障子３０を閉じると、障子３０の全体が上方向に変位して第２位置に位置する。この結果、図４（Ｂ）に示すように、上部シール部材８２が上部シール受け部８４の上部シール受け面８４Ａに接触し、かつ、下部シール部材９２が下部シール受け部９４の下部シール受け面９４Ａに接触して、隙間８６、９６がシールされる。一方、障子３０を開くと、障子３０の全体が下方向に変位し、第１位置に位置する。この結果、図４（Ａ）に示すように、上部シール部材８２が上部シール受け部８４から離間し、かつ、下部シール部材９２が下部シール受け部９４から離間する。
【００５８】
このように、本実施の形態のスライド式建具１０によれば、障子３０の開閉に伴う上下動によって、シール部材（上部シール部材８２及び下部シール部材９２）が、シール受け部（上部シール受け部８４及び下部シール受け部９４）に接触／離間するので、障子３０の開閉に伴うシール部材の擦れを抑制でき、シール部材の磨耗を防止できる。また、障子３０の開閉を軽くできる。
【００５９】
また、シール受け部は、上下方向に所定の幅を有するため、障子３０の高さ調整を行った場合であっても、確実にシール部材を接触させることができる。すなわち、シール部材は、シール受け部の上下方向の幅の範囲内でシール受け部に接触させることができるので、障子３０の高さが変わって、シール部材の位置が変わった場合であっても、シール部材をシール受け部に確実に接触させることができる。なお、シール部材をシール受け部に接触させることができる範囲の上限は、シール部材がシール受け部の上面に接触する場合であり、下限は、シール部材がシール受け部の下面に接触する場合である。
【００６０】
《第１の実施の形態のスライド式建具のシール構造の変形例》
〈第１の変形例〉
図５は、第１の実施の形態のスライド式建具のシール構造の第１の変形例を示す側面断面図である。なお、同図（Ａ）は、障子を開いたときの側面断面図であり、同図（Ｂ）は、障子を閉じたときの側面断面図である。
【００６１】
本例のシール構造は、障子３０にシール受け部（上部シール受け部８４及び下部シール受け部９４）が備えられ、枠２０にシール部材（上部シール部材８２及び下部シール部材９２）が備えられる点で上記実施形態のシール構造と相違する。このように、シール部材とシール受け部材との設置関係は逆にすることもできる。
【００６２】
また、図示は省略するが、障子３０の上部と下部とで、シール部材とシール受け部との設置関係を逆にすることもできる。たとえば、上部シール構造８０については、障子３０に上部シール受け部８４、枠２０に上部シール部材８２を備え、下部シール構造９０については、障子３０に下部シール部材９２、枠２０に下部シール受け部９４を備える構成とすることもできる。
【００６３】
なお、メンテナンス性を考慮すると、上記第実施形態のシール構造のように、障子３０にシール部材を備えることが好ましい。シール部材が劣化した時に、容易に交換できるからである。
【００６４】
また、外観意匠の観点からも障子３０にシール部材を備えることが好ましい。シール部材が、溝（上溝４２及び下溝４６）の内側に隠れ、建具の外観が損なわれるのを防止できるからである。
【００６５】
また、溝の内側にシール部材を収容することにより、商品としての建具の梱包、搬送中にシール部材が潰れるのも防止できる。
【００６６】
〈第２の変形例〉
図６は、第１の実施の形態のスライド式建具のシール構造の第２の変形例を示す側面断面図である。なお、同図（Ａ）は、障子を開いたときの側面断面図であり、同図（Ｂ）は、障子を閉じたときの側面断面図である。
【００６７】
障子３０を閉じたときに障子３０の全体が上方に変位する場合、上部シール受け部８４は、必ずしも凸条の突出部として構成する必要はなく、上レール４０が上部シール受け部８４を兼ねる構成とすることができる。すなわち、上レール４０の外壁面４０Ａを上部シール受け面として機能させることにより、上レール自体を上部シール受け部として機能させることができる。
【００６８】
〈第３の変形例〉
図７は、第１の実施の形態のスライド式建具のシール構造の第３の変形例を示す側面断面図である。なお、同図（Ａ）は、障子を開いたときの側面断面図であり、同図（Ｂ）は、障子を閉じたときの側面断面図である。
【００６９】
同図に示すように、障子３０に上部シール受け部８４が備えられる場合も上記第２の変形例と同様に、上溝４２が上部シール受け部８４を兼ねる構成とすることができる。この場合、上溝４２の内壁面４２Ａが、上部シール受け面として機能する。
【００７０】
〈その他の変形例〉
上記実施の形態では、上レール４０の両側に生じる隙間（上レール４０の両側の外壁面４０Ａと上溝４２の両側の内壁面４２Ａとの間に生じる隙間）８６、及び、下レール４４の両側に生じる隙間（下レール４４の両側の外壁面４４Ａと下溝４６の両側の内壁面４６Ａとの間に生じる隙間）９６を両方ともシールする構成としているが、片側の隙間のみをシールする構成とすることもできる。
【００７１】
ただし、気密性をより向上させるためには、レールの両側に生じる隙間をシールする構成とすることが好ましい。
【００７２】
《第２の実施の形態》
〈全体構成〉
図８は、本発明に係るスライド式建具の第２の実施形態の正面断面図である。また、図９は、図８に示したスライド式建具の側面断面図（図８の９−９断面図）である。なお、図８、図９では、便宜上、一方の障子の記載を省略している。
【００７３】
本実施の形態のスライド式建具１０は、障子３０のスライドのガイド構造が、上記第１の実施の形態のものと相違する。
【００７４】
図８に示すように、枠２０の上枠材２０Ａには、障子３０の上辺部（上框３４Ａの部分）が嵌入される凹条の上ガイド溝６０（枠側凹条部）が備えられる。上ガイド溝６０は、障子３０ごとに備えられ、上枠材２０Ａの長手方向（障子３０のスライド方向）に沿って配置される。上ガイド溝６０は、上枠材２０Ａと一体的に成形してもよいし、また、別部材として構成し、上枠材２０Ａに組み付ける構成としてもよい。
【００７５】
枠２０の下枠材２０Ｃには、障子３０の下辺部（下框３４Ｃの部分）が嵌入される凹条の下ガイド溝６２（枠側凹条部）が備えられる。下ガイド溝６２は、障子３０ごとに備えられ、下枠材２０Ｃの長手方向（障子３０のスライド方向）に沿って配置される。下ガイド溝６２についても同様に、下枠材２０Ｃと一体的に成形してもよいし、また、別部材として構成し、下枠材２０Ｃに組み付ける構成としてもよい。
【００７６】
障子３０は、上辺部を上ガイド溝６０に嵌め、下辺部を下ガイド溝６２に嵌めることにより、枠２０内に納められ、左右方向にスライド可能に支持される。
【００７７】
下ガイド溝６２には、戸車５０の走行をガイドする凹条のレール溝６４が備えられる。レール溝６４は、下枠材２０Ｃの長手方向（障子３０のスライド方向）に沿って配置される。
【００７８】
レール溝６４には、図９に示すように、その軌道上に一対の凸部６４Ｍが備えられる。この一対の凸部６４Ｍは、障子３０に備えられた一対の戸車５０の間隔と同じ間隔で設けられる。障子３０は、戸車５０が凸部６４Ｍの上に乗り上げることにより上方に変位する。この凸部６４Ｍは、障子３０を閉位置に位置させた時の戸車５０の位置に対応しても設けられる。また、凸部４４Ｍは、少なくとも開側（図３の矢印Ｄ側）の端部６４ｍがスロープで構成される。
【００７９】
〈シール構造〉
図１０は、第２の実施の形態のスライド式建具のシール構造の側面断面図である。なお、同図（Ａ）は、障子を開いたときの側面断面図であり、同図（Ｂ）は、障子を閉じたときの側面断面図である。
【００８０】
〔上部シール構造〕
上部シール構造８０は、障子３０の両側の主面３０Ａと、上ガイド溝６０の両側の内壁面６０Ａとの間に生じる隙間８８をシールする。すなわち、障子３０は、枠２０に納めると、その両側の主面３０Ａと上ガイド溝６０の両側の内壁面６０Ａとが互いに対向して配置され、その間に所定の隙間８８が生じるので、この隙間８８を上部シール構造８０でシールする。
【００８１】
上部シール構造８０は、障子３０に備えられる上部シール部材８２と、枠２０に備えられる上部シール受け部８４と、を備えて構成される。
【００８２】
上部シール部材８２の構成は、上記第１の実施の形態のスライド式建具の上部シール部材８２と同じであり、障子３０を枠２０に納めた際、障子３０の移動方向と平行な面である障子３０の主面３０Ａに直交（交差）するように配置される。また、その先端が上ガイド溝６０の内壁面６０Ａに接触しないように、上ガイド溝６０の内壁面６０Ａから離間させて配置される。
【００８３】
上部シール受け部８４の構成も上記第１の実施の形態のスライド式建具の上部シール受け部８４の構成と同じであり、障子３０を枠２０に納めた際、所定の隙間をもって障子３０の主面３０Ａと対向するように配置される。
【００８４】
上部シール部材８２と上部シール受け部８４とは、障子３０を枠２０に納めた際、ともに隙間８８内に配置され、かつ、互いにオーバーラップするように配置される。また、その設置位置は、障子３０を閉めた際、上部シール受け部８４の上部シール受け面８４Ａに接触し、障子３０を開けた際、上部シール受け部８４から離間するように設定される。
【００８５】
〔下部シール構造〕
下部シール構造９０は、障子３０に設けられる下部シール部材９２と、枠２０に設けられる下部シール受け部９４と、を備えて構成される。この下部シール構造９０は、障子３０の両側の主面３０Ａと、下ガイド溝６２の両側の内壁面６２Ａとの間に生じる隙間９８をシールする。
【００８６】
下部シール構造９０の構成は、上部シール構造８０とほぼ同じなので、その具体的な説明は省略する。
【００８７】
下部シール構造９０は、障子３０を閉めた際、下部シール部材９２が下部シール受け部９４の下部シール受け面９４Ａに接触し、障子３０を開けた際、下部シール部材９２が下部シール受け部９４から離間するように、下部シール部材９２と下部シール受け部９４との上下方向の位置関係が設定される。
【００８８】
〈作用〉
以上のように構成される本実施の形態のスライド式建具１０の作用は、次のとおりである。
【００８９】
障子３０は、レール溝６４に備えられた凸部６４Ｍの作用によって、開閉に連動して上下方向に変位する。この障子３０の上下動により、上部シール部材８２が上部シール受け部８４に接触／離間し、かつ、下部シール部材９２が下部シール受け部９４に接触／離間する。
【００９０】
すなわち、障子３０を閉じると、障子３０の全体が上方向に変位し、障子３０が第２位置に移動する。この結果、図１０（Ｂ）に示すように、上部シール部材８２が上部シール受け部８４の上部シール受け面８４Ａに接触し、かつ、下部シール部材９２が下部シール受け部９４の下部シール受け面９４Ａに接触して、隙間８６、９６がシールされる。一方、障子３０を開くと、障子３０の全体が下方向に変位し、第１位置に移動する。この結果、図１０（Ａ）に示すように、上部シール部材８２が上部シール受け部８４から離間し、かつ、下部シール部材９２が下部シール受け部９４から離間する。
【００９１】
《第２の実施の形態のスライド式建具のシール構造の変形例》
図１１は、第２の実施の形態のスライド式建具のシール構造の変形例を示す側面断面図である。なお、同図（Ａ）は、障子を開いたときの側面断面図であり、同図（Ｂ）は、障子を閉じたときの側面断面図である。
【００９２】
本例のシール構造は、障子３０にシール受け部（上部シール受け部８４及び下部シール受け部９４）が備えられ、枠２０にシール部材（上部シール部材８２及び下部シール部材９２）が備えられる点で上記シール構造と相違する。このように、シール部材とシール受け部材との設置関係は逆にすることもできる。また、図示は省略するが、障子３０の上部と下部とで、シール部材とシール受け部との設置関係を逆にすることもできる。
【００９３】
〈その他の変形例〉
本実施の形態のシール構造においても、上部シール受け部８４は、必ずしも凸条の突出部として構成する必要はなく、障子が上部シール受け部を兼ねる構成とすることができる（障子３０に上部シール受け部が備えられる場合）。この場合、障子３０の主面が上部シール受け面として機能する。
【００９４】
同様に、枠２０に上部シール受け部が備えられる場合、上ガイド溝６０が上部シール受け部を兼ねる構成とすることができる。この場合、上ガイド溝６０の内壁面６０Ａが上部シール受け面として機能する。
【００９５】
本実施の形態のシール構造においても、片側の隙間だけシールする構成とすることができる。
【００９６】
《第３の実施の形態》
〈全体構成〉
図１２は、本発明に係るスライド式建具の第３の実施形態の正面断面図である。
【００９７】
本実施の形態のスライド式建具１０は、障子３０を閉じると、障子３０の全体が下方に変位する構成（第１位置から一段低い第２位置に変位する構成）とされている。この場合、下レール４４には、その軌道上に一対の凹部４４Ｎが備えられる。障子３０は、戸車５０が凹部４４Ｎに落ち込むことにより、全体が下方に変位して、第１位置より低い第２位置に移動する。なお、凹部４４Ｎは、一方側の端部（障子３０を開ける方向の端部）４４ｎがスロープで構成される。
【００９８】
〈シール構造〉
図１３は、第３の実施の形態のスライド式建具のシール構造の側面断面図である。なお、同図（Ａ）は、障子を開いたときの側面断面図であり、同図（Ｂ）は、障子を閉じたときの側面断面図である。
【００９９】
〔上部シール構造〕
上記第１の実施の形態のスライド式建具と同様に、上部シール構造８０は、障子３０に備えられる上部シール部材８２と、枠２０に備えられる上部シール受け部８４と、を備えて構成される。上部シール部材８２が上部シール受け部８４の下方に配置される点で上記第１の実施の形態のスライド式建具のシール構造と相違する。
【０１００】
〔下部シール構造〕
上記第１の実施の形態のスライド式建具と同様に、下部シール構造９０は、障子３０に設けられる下部シール部材９２と、枠２０に設けられる下部シール受け部９４と、を備えて構成される。下部シール部材９２が下部シール受け部９４の下方に配置される点で上記第１の実施の形態のスライド式建具のシール構造と相違する。
【０１０１】
〈作用〉
以上のように構成される本実施の形態のスライド式建具１０の作用は、次のとおりである。
【０１０２】
障子３０は、閉じられると、全体が下方に変位して、第２位置に移動する。この結果、図１３（Ｂ）に示すように、上部シール部材８２が上部シール受け部８４の上部シール受け面８４Ａに接触し、かつ、下部シール部材９２が下部シール受け部９４の下部シール受け面９４Ａに接触して、隙間８６、９６がシールされる。
【０１０３】
一方、障子３０を開くと、障子３０の全体が上方に変位し、第１位置に移動する。この結果、図１３（Ａ）に示すように、上部シール部材８２が上部シール受け部８４から離間し、かつ、下部シール部材９２が下部シール受け部９４から離間する。
【０１０４】
《第３の実施の形態のスライド式建具のシール構造の変形例》
〈第１の変形例〉
図１４は、第３の実施の形態のスライド式建具のシール構造の第１の変形例を示す側面断面図である。なお、同図（Ａ）は、障子を開いたときの側面断面図であり、同図（Ｂ）は、障子を閉じたときの断面図である。
【０１０５】
本例のシール構造は、障子３０にシール受け部（上部シール受け部８４及び下部シール受け部９４）が備えられ、枠２０にシール部材（上部シール部材８２及び下部シール部材９２）が備えられる点で上記シール構造と相違する。このように、シール部材とシール受け部材との設置関係は逆にすることもできる。また、図示は省略するが、障子３０の上部と下部とで、シール部材とシール受け部との設置関係を逆にすることもできる。
【０１０６】
〈第２の変形例〉
図１５は、第３の実施の形態のスライド式建具のシール構造の第２の変形例を示す側面断面図である。なお、同図（Ａ）は、障子を開いたときの側面断面図であり、同図（Ｂ）は、障子を閉じたときの側面断面図である。
【０１０７】
障子３０を閉じたときに障子３０の全体が下方に変位する場合、下溝４６が下部シール受け部９４を兼ねる構成とすることができる。この場合、下溝４６の内壁面４６Ａが、下部シール受け面として機能する。
【０１０８】
〈その他の変形例〉
本実施の形態のシール構造においても、片側の隙間だけシールする構成とすることができる。
【０１０９】
《第４の実施の形態》
〈全体構成〉
図１６は、本発明に係るスライド式建具の第４の実施形態のシール構造の側面断面図である。なお、同図（Ａ）は、障子を開いたときの側面断面図であり、同図（Ｂ）は、障子を閉じたときの側面断面図である。
【０１１０】
本実施の形態のスライド式建具１０は、障子３０のスライドのガイド構造が、上記第３の実施の形態のものと相違する。すなわち、上記第２の実施の形態のスライド式建具と同様に、上枠材２０Ａに備えられた上ガイド溝６０に障子３０の上辺部を嵌め、下枠材２０Ｃに備えられた下ガイド溝６２に障子３０の下辺部を嵌めることにより、障子３０が枠２０内に納められる構造とされている。この場合、レール溝６４に凹部６４Ｎが備えられる。障子３０は、この凹部６４Ｎに戸車５０が落ち込むことにより、全体が下方に変位する。
【０１１１】
〈シール構造〉
〔上部シール構造〕
上記第２の実施の形態のスライド式建具と同様に、障子３０に備えられる上部シール部材８２と、枠２０に備えられる上部シール受け部８４と、を備えて構成される。上部シール部材８２が上部シール受け部８４の上方に配置される点で上記第２の実施の形態のスライド式建具のシール構造と相違する。
【０１１２】
〔下部シール構造〕
上記第２の実施の形態のスライド式建具と同様に、下部シール構造９０は、障子３０に設けられる下部シール部材９２と、枠２０に設けられる下部シール受け部９４と、を備えて構成される。下部シール部材９２が下部シール受け部９４の上方に配置される点で上記第２の実施の形態のスライド式建具のシール構造と相違する。
【０１１３】
〈作用〉
以上のように構成される本実施の形態のスライド式建具１０の作用は、次のとおりである。
【０１１４】
障子３０は、閉じられると、全体が下方に変位して、第１位置より低い第２位置に移動する。この結果、図１６（Ｂ）に示すように、上部シール部材８２が上部シール受け部８４の上部シール受け面８４Ａに接触し、かつ、下部シール部材９２が下部シール受け部９４の下部シール受け面９４Ａに接触して、隙間８６、９６がシールされる。
【０１１５】
一方、障子３０を開くと、障子３０の全体が上方に変位し、第１位置に移動する。この結果、図１６（Ａ）に示すように、上部シール部材８２が上部シール受け部８４から離間し、かつ、下部シール部材９２が下部シール受け部９４から離間する。
【０１１６】
《第４の実施の形態のスライド式建具のシール構造の変形例》
図１７は、第４の実施の形態のスライド式建具のシール構造の変形例を示す側面断面図である。なお、同図（Ａ）は、障子を開いたときの側面断面図であり、同図（Ｂ）は、障子を閉じたときの側面断面図である。
【０１１７】
本例のシール構造は、障子３０にシール受け部（上部シール受け部８４及び下部シール受け部９４）が備えられ、枠２０にシール部材（上部シール部材８２及び下部シール部材９２）が備えられる点で上記シール構造と相違する。このように、シール部材とシール受け部材との設置関係は逆にすることもできる。また、図示は省略するが、障子３０の上部と下部とで、シール部材とシール受け部との設置関係を逆にすることもできる。
【０１１８】
〈その他の変形例〉
本実施の形態のシール構造においても、下部シール受け部９４は、必ずしも凸条の突出部として構成する必要はなく、障子が下部シール受け部を兼ねる構成とすることができる（障子３０に上部シール受け部が備えられる場合）。この場合、障子３０の主面が下部シール受け面として機能する。
【０１１９】
同様に、枠２０に下部シール受け部が備えられる場合、下ガイド溝６２が下部シール受け部を兼ねる構成とすることができる。この場合、下ガイド溝６２の内壁面６２Ａが下部シール受け面として機能する。
【０１２０】
本実施の形態のシール構造においても、片側の隙間だけシールする構成とすることができる。
【０１２１】
《その他の実施の形態》
〈シール受け部〉
図１８は、シール受け部の他の実施の形態を示す側面断面図である。
【０１２２】
図１８に示すように、シール受け部（上部シール受け部８４、下部シール受け部９４）のシール受け面（上部シール受け面８４Ａ、下部シール受け面９４Ａ）は、必ずしも垂直な面（障子３０の主面と平行な面）で構成する必要はなく、傾斜面で構成することもできる。
【０１２３】
また、シール部受け部は、必ずしも硬質材である必要はなく、弾性材で構成することもできる。
【０１２４】
〈シール部材〉
シール部材（上部シール部材８２、下部シール部材９２）は、弾性変形可能に構成されていればよい。したがって、ブラシやフェルトなどで構成することもできる。
【０１２５】
〈障子〉
上記実施の形態の障子３０は、ガラス板３２と框３４とで構成しているが、障子の構成は、これに限定されるものではない。この他、たとえば、図１８に示すように、２枚のガラス板３２を框３４で隔置する構成とすることもできる（いわゆる多重ガラス障子）。
【０１２６】
また、上記実施の形態の障子３０は、框３４の内周面に備えられたガラス保持溝３６にガラス板３２の周縁部を嵌め込むことによりガラス板３２を保持する構成としているが、ガラス板３２を保持する構造は、これに限定されるものではない。たとえば、図１８に示すように、ガラス板３２を框３４に接着剤３８で貼り付ける構成とすることもできる。
【０１２７】
また、上記実施の形態では、枠２０に対して、一対の障子３０を引き違い状に納める構成としているが、片引き状に納める構成とすることもできる。
【０１２８】
〈下レールの凸部の構造〉
下レール４４の開側に配置される凸部４４Ｍ（図３の左側の凸部４４Ｍ）については、双方の端部をスロープで構成することができる。これにより、障子３０を開いた際、凸部４４Ｍによって戸車５０の可動範囲が規制されるのを防止でき、障子３０の開閉範囲を拡張できる。すなわち、下レール４４の開側に配置される凸部４４Ｍの両端部をスロープで構成することにより、障子３０を開いた際、閉側の戸車５０（図３の右側の戸車５０）が、凸部４４Ｍをスムーズに乗り越えることができるようになり、障子３０の開閉範囲を拡げることが可能になる。レール溝６４の凸部６４Ｍについても同様である。
【符号の説明】
【０１２９】
１０…スライド式建具、２０…枠、２０Ａ…上枠材、２０Ｂ…右枠材、２０Ｃ…下枠材、２０Ｄ…左枠材、３０…障子、３０Ａ…障子の主面、３２…ガラス板、３４…框、３４Ａ…上框、３４Ｂ…右框、３４Ｃ…下框、３４Ｄ…左框、３６…ガラス保持溝、３８…接着剤、４０…上レール、４０Ａ…上レールの外壁面、４２…上溝、４２Ａ…上溝の内壁面、４４…下レール、４４Ａ…下レールの外壁面、４４Ｍ…下レールの凸部、４４ｍ…凸部の端部、４４Ｎ…下レールの凹部、４４ｎ…凹部の端部、４６…下溝、４６Ａ…下溝の内壁面、５０…戸車、５０Ａ…戸車の外周溝、５２…外箱、６０…上ガイド溝、６０Ａ…上ガイド溝の内壁面、６２…下ガイド溝、６２Ａ…下ガイド溝の内壁面、６４…レール溝、６４Ｍ…レール溝の凸部、６４ｍ…凸部の端部、６４Ｎ…レール溝の凹部、８０…上部シール構造、８２…上部シール部材、８４…上部シール受け部、８４Ａ…上部シール受け面、８６…隙間、８８…隙間、９０…下部シール構造、９２…下部シール部材、９４…下部シール受け部、９４Ａ…下部シール受け面、９６…隙間、９８…隙間
【図１】
2015151722.tif 000003
【図２】
2015151722.tif 000004
【図３】
2015151722.tif 000005
【図４】
2015151722.tif 000006
【図５】
2015151722.tif 000007
【図６】
2015151722.tif 000008
【図７】
2015151722.tif 000009
【図８】
2015151722.tif 000010
【図９】
2015151722.tif 000011
【図１０】
2015151722.tif 000012
【図１１】
2015151722.tif 000013
【図１２】
2015151722.tif 000014
【図１３】
2015151722.tif 000015
【図１４】
2015151722.tif 000016
【図１５】
2015151722.tif 000017
【図１６】
2015151722.tif 000018
【図１７】
2015151722.tif 000019
【図１８】
2015151722.tif 000020